(57)【要約】【課題】人感センサの検知感度への影響を低減し且つ設計の自由度を高めることのできる照明器具を提供する。【解決手段】人の存否を検知する電波式の人感センサ３と、人感センサ３の検知結果に基づいて光源部Ｌ１の点灯・消灯を制御する制御部４と、人感センサ３及び制御部４及び光源部Ｌ１を保持する器具本体１と、器具本体１に取り付けられて人感センサ３及び光源部Ｌ１を覆い且つ光源部Ｌ１からの光を透過するカバー２とを備え、カバー３は、誘電率が４以下の材料から成る。【選択図】図１
2014093187.tif 000002
【特許請求の範囲】
【請求項１】
人の存否を検知する電波式の人感センサと、前記人感センサの検知結果に基づいて光源部の点灯・消灯を制御する制御部と、前記人感センサ及び前記制御部及び前記光源部を保持する器具本体と、前記器具本体に取り付けられて前記人感センサ及び前記光源部を覆い且つ前記光源部からの光を透過するカバーとを備え、
前記カバーは、誘電率が４以下の材料から成ることを特徴とする照明器具。
【請求項２】
前記カバーの厚み寸法は、前記人感センサが送受波する電波の波長の１０分の１以下であることを特徴とする請求項１記載の照明器具。
【請求項３】
前記人感センサと、前記カバーとの間の距離は、前記電波の半波長の自然数倍であることを特徴とする請求項１又は２記載の照明器具。
【請求項４】
前記カバーは、前記人感センサを中心とした一定の曲率半径を有する曲面で形成することを特徴とする請求項１乃至３の何れか１項に記載の照明器具。
【発明の詳細な説明】
【技術分野】
【０００１】
本発明は、人感センサを用いる照明器具に関する。
【背景技術】
【０００２】
従来から、人感センサを用いる照明器具が知られており、例えば特許文献１に開示されている。この特許文献１に記載の従来例は、本体と、カバーと、人感センサとを備え、カバーに人感センサを臨ませる孔を形成している。
【先行技術文献】
【特許文献】
【０００３】
【特許文献１】特許第３２０９５０１号公報
【発明の概要】
【発明が解決しようとする課題】
【０００４】
しかしながら、上記従来例では、人感センサを外部に臨ませるためにカバーに孔を設けていることから、当該孔を介して外部から埃等が侵入し、人感センサに付着して検知感度に影響を及ぼす虞があるという問題があった。また、上記従来例では、カバーに孔を設ける必要があることから、人感センサを取り付けるための仕様が限定されるため、設計の自由度が低くなるという問題があった。
【０００５】
なお、カバーに孔を設けずに、本体のうちカバーの外側に露出している部位に人感センサを取り付けることも考えられる。しかしながら、この場合も人感センサを取り付けるための仕様が限定され、設計の自由度が低くなってしまうという問題があった。
【０００６】
本発明は、上記の点に鑑みて為されたもので、人感センサの検知感度への影響を低減し且つ設計の自由度を高めることのできる照明器具を提供することを目的とする。
【課題を解決するための手段】
【０００７】
本発明の照明器具は、人の存否を検知する電波式の人感センサと、前記人感センサの検知結果に基づいて光源部の点灯・消灯を制御する制御部と、前記人感センサ及び前記制御部及び前記光源部を保持する器具本体と、前記器具本体に取り付けられて前記人感センサ及び前記光源部を覆い且つ前記光源部からの光を透過するカバーとを備え、前記カバーは、誘電率が４以下の材料から成ることを特徴とする。
【０００８】
この照明器具において、前記カバーの厚み寸法は、前記人感センサが送受波する電波の波長の１０分の１以下であることが好ましい。
【０００９】
この照明器具において、前記人感センサと、前記カバーとの間の距離は、前記電波の半波長の自然数倍であることが好ましい。
【００１０】
この照明器具において、前記カバーは、前記人感センサを中心とした一定の曲率半径を有する曲面で形成することが好ましい。
【発明の効果】
【００１１】
本発明は、人感センサをカバーで覆い、且つ誘電率４以下の材料でカバーを形成している。したがって、本発明では、人感センサで送受波する電波がカバーを透過し易く、また、人感センサに外部からの埃等が付着しないので、人感センサの検知感度への影響を低減することができる。また、本発明では、カバーに孔を設ける必要がないことから、人感センサを取り付けるための仕様が限定されず、設計の自由度を高めることができる。
【図面の簡単な説明】
【００１２】
【図１】本発明に係る照明器具の実施形態を示す図で、（ａ）は全体斜視図で、（ｂ）はブロック図である。
【図２】（ａ），（ｂ）は同上の照明器具の特徴の説明図である。
【図３】同上の照明器具における光源部の配置の一例を示す下面図である。
【発明を実施するための形態】
【００１３】
以下、本発明に係る照明器具の実施形態について図面を用いて説明する。なお、以下の説明では、図１（ａ）に示す矢印で上下方向を規定する。本実施形態は、図１（ａ），（ｂ）に示すように、器具本体１と、カバー２と、人感センサ３と、制御部４とを備える。
【００１４】
器具本体１は、鋼板から平面視円形状に形成され、人感センサ３と、制御部４と、点灯回路５と、光源部Ｌ１とを保持する。点灯回路５は、商用電源（図示せず）からの交流電力を光源部１を点灯するために必要な点灯電力に変換し、光源部１へ供給するものである。器具本体１は、例えば引掛シーリング等の配線器具（図示せず）を用いて天井等の造営面に取り付けられる。
【００１５】
カバー２は、上面を開口した扁平なドーム状に形成され、器具本体１に着脱自在に取り付けることができる。カバー２は、器具本体１の下部全体を覆うことで光源部Ｌ１及び人感センサ３を覆い、光源部Ｌ１からの光と、人感センサ３から送波される電波とを透過する。また、本実施形態では、図１（ａ）に示すように器具本体１の下部全体を覆うようにカバー２を形成しているが、カバー２は少なくとも人感センサ３及び光源部Ｌ１を覆うものであればよい。
【００１６】
人感センサ３は、例えばミリ波のような電波を使用する電波式のドップラーセンサである。人感センサ３は、電波を検知範囲に向けて送波し、人体で反射された電波（反射波）を受波することで、人体の移動速度に対応する周波数帯のドップラー信号を得て、このドップラー信号に基づいて検知範囲内の人の存否を検知する。
【００１７】
制御部４は、マイクロコンピュータを主構成要素とし、点灯回路５を制御することで光源部Ｌ１の点灯・消灯を制御する。制御部４は、例えば壁面に設けられた操作部（図示せず）での操作入力や、リモコン（図示せず）から送信される無線信号に基づいて、光源部Ｌ１の点灯・消灯の制御、及び光源部Ｌ１の調光制御を実行する。また、制御部４は、人感センサ３の検知結果に基づいて光源部Ｌ１の点灯・消灯の制御を実行する。すなわち、制御部４は、人感センサ３が人を検知すると光源部Ｌ１を点灯させ、人感センサ３が人を検知しなくなると光源部Ｌ１を消灯させる。勿論、人感センサ３の検知結果に基づく制御部４の制御は、上記の制御に限定されるものではない。
【００１８】
光源部Ｌ１は、円環型のＬＥＤランプから成り、器具本体１に設けられたソケット（図示せず）に着脱自在に取り付けることができる。なお、本実施形態では、円環型のＬＥＤランプを用いているが、直管型のＬＥＤランプなど他の形状のＬＥＤランプを用いてもよい。また、本実施形態では、光源部Ｌ１としてＬＥＤランプを用いているが、白熱灯や有機ＥＬ素子などの他の光源を用いてもよい。特に、本実施形態では、電波式の人感センサ３を使用していることから、人感センサ３への影響を考慮して非放電の光源を用いるのが望ましい。
【００１９】
ここで、本願の発明者は、誘電率が４以下の材料でカバー２を形成すれば、人感センサ３が送受波する電波がカバー２で反射せずに透過し易く、人感センサ３の検知感度にあまり影響を及ぼさないことを見出した。そこで、本実施形態では、例えばアクリル樹脂、ＡＢＳ樹脂、ＡＳＡ樹脂、ポリエチレン樹脂や、ポリカーボネート等のエンジニアリング・プラスチック（エンプラ）といった誘電率が４以下の材料（好ましくは樹脂材料）でカバー２を形成している。
【００２０】
上述のように、本実施形態では、人感センサ３をカバー２で覆い、且つ誘電率４以下の材料でカバー２を形成している。したがって、本実施形態では、人感センサ３で送受波する電波がカバー２を透過し易く、また、人感センサ３に外部からの埃等が付着しないので、人感センサ３の検知感度への影響を低減することができる。また、本実施形態では、カバー２に孔を設ける必要がないことから、人感センサ３を取り付けるための仕様が限定されず、設計の自由度を高めることができる。
【００２１】
ところで、例えば、本実施形態の人感センサ３が送受波する電波の周波数が２４ＧＨｚであれば、電波の波長は約１２．５ｍｍとなる。したがって、本実施形態では、カバーの厚み寸法を電波の波長の１０分の１である約１．２５ｍｍ以下にするのが望ましい。このように、カバー２の厚み寸法を人感センサ３が送受波する電波の波長に対して小さくすることで、電波がカバー２を透過し易くなり、人感センサ３の検知感度への影響をより低減することができる。
【００２２】
また、人感センサ３とカバー２との間の距離（電波を送受波する送受波部３０とカバー２内壁との間の距離）ｄ０（図２（ａ）参照）は、人感センサ３が送受波する電波の半波長の自然数倍であることが望ましい。すなわち、電波は半波長ごとにその振幅値が最小となるので、人感センサ３が送受波する電波がカバー２に到達する時点で振幅値が最小値に近い値を示すことになり、カバー２における電波の反射が起こり難くなる。したがって、この構成では反射による電波の損失を低減できることから、人感センサ３の検知感度への影響をより低減することができる。
【００２３】
更に、カバー２は、人感センサ３を中心とした一定の曲率半径を有する曲面で形成するのが望ましい。この構成では、人感センサ３とカバー２との間の距離が、人感センサ３からの電波の放射方向に関係なくほぼ同じになる。したがって、カバー２における電波の反射が、人感センサ３からの電波の放射方向に関係なくほぼ同じになることから、人感センサ３の検知感度を電波の放射方向に関係なくほぼ一定にすることができる。
【００２４】
特に、図２（ｂ）に示すように、カバー２は、人感センサ３が取り付けられた器具本体１の表面に対して、下向きに凸状となるように湾曲した形状を有する。ここで、カバー２の形状は、人感センサ３とカバー２との間の距離ｄ１〜ｄ４が電波の半波長の自然数倍となる曲面で形成するのが望ましい。人感センサ３の送受波部３０側にカバー２を設けると、カバー２に当たった電波が反射して検知感度が低下する虞があるものの、本構成を採用すると、人感センサ３とカバー２との間の距離が半波長の整数倍となり、位相ずれが生じるのを抑制することができる。そうすると、反射による電波の損失を低減できることから、結果として、人感センサ３の検知感度への影響を低減する効果も奏する。
【００２５】
なお、光源部Ｌ１は、人感センサ３の指向性に影響を及ぼさなければ自由に配置してもよい。例えば、図３に示すように、粒状の発光ダイオードから成る複数の点光源Ｌ１０を器具本体１の下部に器具本体１の周方向に沿って配置することで、光源部Ｌ１としてもよい。
【符号の説明】
【００２６】
１  器具本体
２  カバー
３  人感センサ
４  制御部
Ｌ１  光源部
【図１】
2014093187.tif 000003
【図２】
2014093187.tif 000004
【図３】
2014093187.tif 000005